(57)【要約】【課題】光源であると同時に環境改善作用を発揮する管球を提供する。【解決手段】トルマリンの微細結晶など、マイナスイオンの発生する膜を管球のガラス球部にコーティングすることで、生体に対する効果、例えばリラックス効果や、様々な病気の症状を軽減、治癒したりする効果、または動植物に対して成長促進効果や寿命を延ばす効果等に貢献することが可能である。また、マイナスイオンを発生する膜においは、飛散防止膜材料を主材料とすることで、器具への管球の着脱の際、または、落下等の場合におけるガラス破片の飛散防止効果も可能となる。【選択図】図１
2004127687.tif 000002
【特許請求の範囲】
【請求項１】
マイナスイオンを発生することを特徴とする管球。
【請求項２】
請求項１の管球において、管球のガラス球部に、マイナスイオンを発生する膜を設けていることを特徴とする管球。
【請求項３】
請求項２におけるマイナスイオンを発生する膜は、管球の破損時にガラス破片の飛散防止効果のある膜であることを特徴とする管球。
【請求項４】
請求項３におけるマイナスイオンを発生する膜は、ガラス破片の飛散防止作用を有する膜材料にトルマリンを配合して形成された膜であることを特徴とする管球。
【請求項５】
管球が、電球または放電ランプであることを特徴とする請求項１ないし４のいずれか記載の管球。
【発明の詳細な説明】
【０００１】
【発明の属する技術分野】
本発明は、マイナスイオンを発生する管球に関するものである。
【０００２】
【従来の技術】
従来、管球においては、ガラスを主原料とした商品であり、破損時におけるガラス片による事故防止効果を持たせた飛散防止膜構造、または光触媒膜を付加することにより、脱臭効果を持たせるといった特殊用途を含め、様々な管球が開発され、実用化されている。
【０００３】
【発明が解決しようとする課題】
管球製品の開発においては、電球形蛍光ランプや細径の蛍光ランプ、省電力形の電球等、既存の商品を改良または先に示した特殊用途用の管球の改良がなされている。
【０００４】
本発明は、以上のような管球分野において従来の管球商品とは異なる付加価値を管球に付加させることを目的としてなされたもので、生体に対する効果、例えばリラックス効果や、様々な病気の症状を軽減したり治癒したりする効果、あるいは動植物に対して成長促進効果や寿命を延ばす効果等に貢献しているマイナスイオンを発生する管球を提供することを目的としている。
【０００５】
【課題を解決するための手段】
本発明は、マイナスイオンが発生することを特徴とする管球であって、上記課題を解決するため、管球のガラス球部において、マイナスイオンを発生する膜を設けていることを特徴としている。
【０００６】
また、管球のガラス球部においてマイナスイオンを発生させる膜を、ガラス破片の飛散防止効果を有する膜として構成することで、管球を照明器具に着脱する際または管球の落下時などにおいて発生した管球の破損時に、ガラス破片の飛散などによる事故を防止でき、管球取扱い時の安全性を高めることができる。
【０００７】
これら特徴をもつ管球において、上記マイナスイオンを発生させる材料としては、例えばトルマリンを用いることができる。電球等のガラス管球表面に、上記トルマリンを含む膜を形成しておくことで、電球が点灯されることで、管球のガラス球部の表面温度が高くなる。これに反応し、管球のガラス球部に設けられたマイナスイオンを発生する膜に含有されているトルマリンが反応することにより、マイナスイオンが発生する。
【０００８】
【発明の実施の形態】
以下、本発明に関わる管球のうち、電球において実施した例を図面を用いて説明する。
【０００９】
図１は本発明の一実施例の電球の見取図である。図２は図１に示す電球本体１に、マイナスイオンを発生する膜２がコーティングされている様を表した部分断面図である。１ａはガラスバルブ、１ｂは拡散膜、２はマイナスイオンを発生する膜である。ここで、電球本体１がクリアランプの場合、図２において示した拡散膜１ｂは必要としないため、管球はガラスバルブ１ａとマイナスイオンが発生する膜２で形成される。
【００１０】
マイナスイオンが発生する膜２は、透光性のシリコン樹脂などからなる飛散防止膜材料で形成されており、完成された電球本体１におけるガラスバルブ１ａに、マイナスイオンを発生する材料を混入・分散させた膜２をコーティングして形成する。図３は、飛散防止膜材料２ａとマイナスイオンを発生する鉱石であるトルマリン２ｂの混入状態を示す図である。
【００１１】
管球部が上記のような構造に製作された電球において、電球を点灯させたとき、電球本体１におけるガラスバルブ１ａの表面の温度が上昇することにより、マイナスイオンを発生する膜２に配合したトルマリン２ｂが、ガラスバルブ１ａの表面温度に反応し、活性を増してマイナスイオンを効果的に発生させる。
【００１２】
上記トルマリン２ｂは別名「電気石」ともよばれている鉱石であり、トルマリン鉱石を粉々に砕いても永久に電気を流すことが知られている。すなわちトルマリンの結晶両端にはプラス極とマイナス極が存在し、この結晶のマイナス極から電子を放出する。効果的に電子を放出させるためには、トルマリン結晶粒に圧力もしくは熱などの力を加える。熱を加える場合は、トルマリンを１０００℃を超えない温度の状況下で使用する。この電子が空気中の水蒸気などを電離してマイナスイオンが生成される。
【００１３】
管球、例えば電球において、その点灯時におけるガラス球表面温度は、１００Ｗ形の電球であれば２００℃前後である。このように、電球の点灯時におけるガラス球表面温度はトルマリンからマイナスイオンを発生させるための条件として好都合である。
【００１４】
以上に述べた実施例では管球が通常の白熱電球である例について説明したが、本発明は口金と発光させるフィラメントや放電させる電極を備え持つ例えば蛍光ランプ、高圧放電ランプ等の管球にも適用できる。日本電球工業会規格ＪＥＬ６０１によれば、ガラスバルブ１ａの表面温度は、水銀ランプをはじめとするＨＩＤランプにおいては６５０℃を超えないことと記載されており、飛散防止膜材料２として高温に耐える材質を用いれば、管球のガラス球部の表面温度がかなり高くなる場合においても実施できることは明らかである。
【００１５】
【発明の効果】
本発明は上記のように、管球のガラス球表面にトルマリンなどが配合されたマイナスイオンを発生する膜を設けることにより、管球の点灯時における管球本体のガラスバルブ表面の温度により、マイナスイオンを発生させることができる。
【００１６】
マイナスイオンを発生させることにより、マイナスイオンを生体における皮膚表面、あるいは呼吸器より吸収することにより、生体に対する効果、例えばリラックス効果や、様々な病気の症状を軽減、治癒したりする効果、または動植物に対して成長促進効果や寿命を延ばす効果等に貢献することが可能である。
【００１７】
また、マイナスイオンを発生する膜は飛散防止膜材料を主材料とすることで、器具への管球の着脱の際、または、落下等の場合におけるガラス破片の飛散防止にも効果的である。
【図面の簡単な説明】
【図１】本発明の一実施形態である電球の見取図。
【図２】本発明の一実施形態である電球の管球部の部分断面図。
【図３】本発明における、マイナスイオンが発生する膜の構成を示す断面図。
【符号の説明】
１…電球本体、１ａ…ガラスバルブ、１ｂ…拡散膜、２…マイナスイオンが発生する膜、２ａ…飛散防止膜材料、２ｂ…トルマリン粒。
【図１】
2004127687.tif 000003
【図２】
2004127687.tif 000004
【図３】
2004127687.tif 000005